(57)【要約】【課題】近所迷惑になったり来訪者に不快感を与えたりすることなく、不審者への威嚇が行えるインターホンシステムを提供することにある。【解決手段】インターホンシステムは、ドアホン子器１とインターホン親機２とを備え、ドアホン子器１は、カメラ部１０と、カメラ部１０が出力する映像信号をインターホン親機２に送信する伝送部１３と、カメラ部１０および映像処理部１１よりなる人体検知手段と、ドアホン子器１の動作状態を表示する発光源１７ａと、ドアホン子器１の動作状態が映像信号をインターホン親機２に送信していない待機状態であれば発光源１７ａを消灯し、動作状態が映像信号をインターホン親機２に送信している通信状態であれば発光源１７ａを点灯する制御部１５とを備え、制御部１５は、ドアホン子器１が待機状態であるときに、人体検知手段で人の存在が検知されると、待機状態から通信状態に移行させることなく発光源１７ａのみを点灯させる。【選択図】図１
2009205287.tif 000002
【特許請求の範囲】
【請求項１】
屋外に設置されたドアホン子器と、屋内に設置されたインターホン親機とを備え、ドアホン子器とインターホン親機との間で通話を行うインターホンシステムであって、
ドアホン子器は、所定の撮像範囲を撮像するカメラ部と、カメラ部が出力する映像信号をインターホン親機に送信する伝送部と、所定の検知範囲内における人の存否を検知する人体検知手段と、ドアホン子器の動作状態を表示する発光源と、ドアホン子器の動作状態がカメラ部の映像信号をインターホン親機に送信していない待機状態であるときに発光源を消灯し、ドアホン子器の動作状態が少なくともカメラ部の映像信号をインターホン親機に送信している通信状態であるときに発光源を点灯する制御部とを備え、
制御部は、ドアホン子器の動作状態が待機状態であるときに、人体検知手段で人の存在が検知されると、カメラ部の映像信号をインターホン親機に送信することなく発光源のみを点灯させる機能を備えていることを特徴とするインターホンシステム。
【発明の詳細な説明】
【技術分野】
【０００１】
本発明は、屋外に設置されたドアホン子器と、屋内に設置されたインターホン親機とを備え、ドアホン子器とインターホン親機との間で通話を行うインターホンシステムに関するものである。
【背景技術】
【０００２】
従来から、住宅（住戸）の玄関などに設置されるドアホン子器と、室内に設置されるインターホン親機との間で通話を行うインターホンシステムが提供されている。近年では、防犯意識の向上により、訪問者（外来者）の顔を確認するための撮像手段（カメラ装置）を備えるものも普及している（例えば、特許文献１参照）。
【０００３】
特許文献１には、カメラ装置を有し玄関に設置されたドアホン子器（カメラ付きドアホン子器）と、住戸内に設置されドアホン子器のカメラ装置にて撮像された映像を表示するための映像表示部（モニタテレビ）を有するインターホン親機とを備えたものが開示されている。ドアホン子器は、通常の通話あるいはモニタモードと外部警告設定モードとを判別する判別回路と、各部を制御する制御回路とを構成する判別・制御回路や、インターホン親機からの供給電源を各部に供給する電源回路、音発生回路、通話回路、カメラ回路、人感センサなどを備える。
【特許文献１】特開平１１−２２５３２７号公報
【発明の開示】
【発明が解決しようとする課題】
【０００４】
上記特許文献１に示すドアホン子器は、人感センサにて不審者を検知した際に、音発生回路からスピーカを介して警告の音声メッセージを出力する機能を備える。そのため、上記特許文献１に示すものでは、音声メッセージにより不審者を威嚇することができる。
【０００５】
しかしながら、上記特許文献１に示すもののように、音声メッセージなどの警報音により不審者を威嚇するものでは、警報音の音量が大きいと近所迷惑（特に夜間）となるおそれがあり、逆に警報音の音量が小さいと威嚇効果が十分に得られない。また、来訪者であるか不審者であるかを判別することは困難である。そのため、不審者ではない来訪者に対しても同様に警報音が出力されてしまい、その結果、来訪者に不快な思いをさせてしまうおそれがある。また、居住者（住戸人）に注意を促すために、人感センサが反応するたびに、インターホン親機で居住者に通知を行うことも考えられる。しかしながら、人感センサが反応するたびに通知を行っていたのでは、不審者ではない来訪者であっても通知が行われるため、居住者に不必要な不安を与えるおそれがあり、また、夜中などでは居住者の眠りを妨げてしまう。そのため、人感センサが反応するたびに居住者に通知を行うことは、居住者にとって迷惑になるおそれが高い。
【０００６】
本発明は上述の点に鑑みて為されたもので、その目的は、近所迷惑になったり来訪者に不快感を与えたりすることなく、不審者への威嚇が行えるインターホンシステムを提供することにある。
【課題を解決するための手段】
【０００７】
上記の課題を解決するために、請求項１の発明では、屋外に設置されたドアホン子器と、屋内に設置されたインターホン親機とを備え、ドアホン子器とインターホン親機との間で通話を行うインターホンシステムであって、ドアホン子器は、所定の撮像範囲を撮像するカメラ部と、カメラ部が出力する映像信号をインターホン親機に送信する伝送部と、所定の検知範囲内における人の存否を検知する人体検知手段と、ドアホン子器の動作状態を表示する発光源と、ドアホン子器の動作状態がカメラ部の映像信号をインターホン親機に送信していない待機状態であるときに発光源を消灯し、ドアホン子器の動作状態が少なくともカメラ部の映像信号をインターホン親機に送信している通信状態であるときに発光源を点灯する制御部とを備え、制御部は、ドアホン子器の動作状態が待機状態であるときに、人体検知手段で人の存在が検知されると、カメラ部の映像信号をインターホン親機に送信することなく発光源のみを点灯させる機能を備えていることを特徴とする。
【０００８】
請求項１の発明によれば、ドアホン子器の動作状態がインターホン親機に映像信号を送信していない待機状態であっても、人体検知手段で人の存在が検知されると、待機状態から通信状態に移行することなく（カメラ部の映像信号をインターホン親機に送信することなく）、発光源が点灯するので、ドアホン子器の動作状態が実際は待機状態であるにもかかわらず、インターホン親機に映像信号を送信している通信状態であるかのように見せることができるから、ドアホン子器の動作状態が通信状態であっても特に気にしない来訪者に対しては威嚇効果を与えずに、ドアホン子器の動作状態が待機状態か通信状態かを気にする不審者に対しては威嚇効果を与えることができ、その結果、近所迷惑になったり来訪者に不快感を与えたりすることなく、不審者への威嚇が行える。また、不審者への威嚇時にインターホン親機が動作しないから、居住者に不必要な不安を与えたり、居住者の眠りを妨げたりすることがなく、居住者にとって迷惑になることがない。
【発明の効果】
【０００９】
本発明は、近所迷惑になったり来訪者に不快感を与えたりすることなく、不審者への威嚇が行えるという効果を奏する。
【発明を実施するための最良の形態】
【００１０】
本発明の一実施形態のインターホンシステムは、図１に示すように、ドアホン子器１と、インターホン親機２とを備える。なお、ドアホン子器１は玄関などの屋外に設置され、インターホン親機２は居室などの屋内に設置される。
【００１１】
ドアホン子器１は、伝送ライン（信号線）Ｌによりインターホン親機２と接続され、この伝送ラインＬを介してインターホン親機２と通信を行う。ドアホン子器１は、イメージセンサ（ＣＣＤイメージセンサやＣＭＯＳイメージセンサ）を利用したカメラ装置からなり所定の撮像範囲（本実施形態の場合は玄関先）を撮像するカメラ部１０と、カメラ部１０が出力する映像信号に対して種々の処理を行う映像処理部１１と、インターホン親機２との間で通話を行うための通話手段１２と、カメラ部１０が出力する映像信号や通話手段１２が出力する音声信号（音響信号）をインターホン親機２に伝送する伝送部１３と、来訪者が操作する呼出釦（図示せず）などを備えた操作部１４と、操作部１４の操作などに応じてドアホン子器１の全体的な制御を行う制御部１５と、伝送ラインＬを介してインターホン親機２から電力の供給を受けてドアホン子器１の各部に給電する受電部１６とを備える。
【００１２】
また、ドアホン子器１は、ドアホン子器１の動作状態を表示する発光源１７ａと、発光源１７ａと受電部１６との間に挿入された駆動スイッチ１７ｂとを有した動作表示部１７を備える。発光源１７ａは、ドアホン子器の動作状態がカメラ部１０の映像信号をインターホン親機２に送信していない状態（待機状態）であるときに消灯され、映像信号をインターホン親機２に送信している状態（通信状態）であるときに点灯される。動作表示部１７では、駆動スイッチ１８がオンとなったときのみ発光源１７ａに受電部１６から給電されて、発光源１７ａが点灯（ここでいう点灯には、所定周期での点灯、すなわち点滅を含む）する。なお、発光源１７ａとしては、発光ダイオード（ＬＥＤ）や、ネオンランプなど種々の光源を採用することができる。また、発光源１７ａの光色としては、不審者に対する威嚇という意味では、赤色とすることが好ましいが、緑色や、青色などであってもよい。このような発光源１７ａは、発光源１７ａが放射する光がカメラ部１０に直接的に入射しないようにして、カメラ部１０の近傍に配置される。なお、駆動スイッチ１７ｂとしては、リレーや半導体スイッチなどのスイッチ装置が用いられる。
【００１３】
映像処理部１１は、カメラ部１０が出力する映像信号を元にしてカメラ部１０の撮像範囲内に人が存在するか否かを判定する。すなわち、本実施形態のインターホンシステムでは、カメラ部１０と映像処理部１１とによって、所定の検知範囲（本実施形態の場合は、カメラ部１０の撮像範囲）内における人の存否を検知する人体検知手段が構成される。
【００１４】
ここで、人が存在するか否かの判定は、例えば、カメラ部１０の映像信号により得られる画像に対して一般的に知られたＳＯＢＥＬフィルタなどを使用して微分処理（各画素の微分値を算出）して画像から輪郭（エッジ）を抽出し、抽出した時系列順の輪郭画像を用いて論理合成を行うことで移動体の輪郭を抽出し、抽出した移動体の輪郭をラベリングして移動体に相当する領域を検出し、検出した領域が所定の閾値以上であればカメラ部１０の撮像範囲内に人が存在すると判定するといった方法がある。なお、このような判定方法は、従来周知であるから詳細な説明は省略する。また、画像を利用した人の存否に関する判定方法は上記の例に限定されず、従来周知のその他の方法を採用することができる。
【００１５】
映像処理部１１は、カメラ部１０の撮像範囲内に人が存在すると判定した際には、検知信号を制御部１５に出力する。また、映像処理部１１は、制御部１５より後述する送信開始信号を受信すると、カメラ部１０が出力する映像信号に対して符号化などの必要な処理を行ってから伝送部１３に出力する。
【００１６】
通話手段１２は、入力された音声を電気信号に変換して音声信号として出力する音声入力手段であるマイクロホン１２ａと、入力された音声信号を元にして音声を出力する音声出力手段であるスピーカ１２ｂと、音声処理部１２ｃとを有する。音声処理部１２ｃは、マイクロホン１２ａが出力する音声信号を増幅した後に当該音声信号をＰＣＭ（Pulse Code Modulation）符号化やＡＤＰＣＭ（AdaptiveDifferential ＰＣＭ）符号化などにより符号化（情報源符号化）して伝送部１３に出力する符号化回路や、伝送部１３から入力された音声信号を復号化（情報源復号化）した後に増幅してスピーカ１２ｂに出力する復号化回路などを備える。このような通話手段１２は従来周知のものを採用できるから詳細な説明を省略する。
【００１７】
伝送部１３は、映像処理部１１が出力する映像信号を変調（伝送路符号化）して伝送ラインＬに送出する映像信号送信機能を有する。また伝送部１３は、音声処理部１２ｃが出力する音声信号を変調（伝送路符号化）して伝送ラインＬに送出する音声信号送信機能と、伝送ラインＬに送出されたインターホン親機２の音声信号を復調（伝送路復号化）して音声処理部１２ｃに出力する音声信号受信機能とを有する。なお、伝送部１３における映像信号や音声信号の変調・復調方法としては従来周知の方法を採用できるから詳細な説明は省略する。また、伝送ラインＬは、映像信号の伝送を行う映像線と、音声信号の伝送を行う音声線と、電力の供給に用いる給電線とを兼用するものであり、このように複数の信号を重畳する方法は従来から種々提供されているから、詳細な説明は省略する。また、ドアホン子器１とインターホン親機２との間で行う映像信号の伝送は、ディジタル伝送であってもよいし、アナログ伝送であってもよい。
【００１８】
制御部１５は、例えばメモリに格納されたプログラムを実行することにより種々の処理を実行するマイクロコンピュータなどであり、映像処理部１１より検知信号が入力されると、駆動スイッチ１７ｂをオンして発光源１７ａを点灯させる。このとき、制御部１５は、カメラ部１０の映像信号をインターホン親機２には送信しない。つまり、制御部１５は、ドアホン子器の動作状態が待機状態であるときに、人体検知手段で人の存在が検知されると、待機状態から通信状態に移行することなく（カメラ部１０の映像信号をインターホン親機２に送信することなく）発光源１７ａのみを点灯させる機能を備える。
【００１９】
また、制御部１５は、操作部１４の上記呼出釦が操作されると伝送部１３に呼出信号を送信させ、その後に伝送部１３で後述の応答信号を受信すると、インターホン親機２との通話が確立されたと判定する。この場合、制御部１５は、マイクロホン１２ａ、およびスピーカ１２ｂを起動し、音声処理部１２ｃにおいては音声信号の送受信を開始させる。また、制御部１５は、映像処理部１１に前述の送信開始信号を出力して、映像処理部１１に映像信号の送信を開始させる（すなわち、ドアホン子器１の動作状態を待機状態から通信状態に移行させる）。一方、制御部１５は、インターホン親機２との通話が終了すると、マイクロホン１２ａ、およびスピーカ１２ｂを停止し、音声処理部１２ｃにおいては音声信号の送受信を、映像処理部１１においては映像信号の送信を終了させる（すなわち、ドアホン子器１の動作状態を通信状態から待機状態に移行させる）。さらに、制御部１５は、駆動スイッチ１７ｂをオフし、これによって受電部１６から発光源１７ａへの給電が停止されて発光源１７ａが消灯する。なお、上記呼出釦が操作されなかったときには、制御部１５は、映像処理部１１より検知信号が入力されなくなったとき、あるいは検知信号の入力が得られなくなってから所定時間経過後に、駆動スイッチ１７ｂをオフして発光源１７ａを消灯させる。
【００２０】
インターホン親機２は、カメラ部１０で撮像された映像を表示する液晶ディスプレイ（ＬＣＤ）などの画像表示装置からなる表示部２０と、伝送ラインＬを介してドアホン子器１の映像信号や音声信号を受信する（つまり伝送部１３との間で信号の送受を行う）伝送部２１と、伝送部２１で受信した映像信号に対して復調などの必要な処理を行ってから表示部２０に出力する映像処理部２２と、ドアホン子器１との間で通話を行う通話手段２３と、交流電源（一例としては商用電源）などの電源（図示せず）より得た電力を元にしてインターホン親機２の動作電源（所定電圧の直流電源）を生成する電源生成部２４と、電源生成部２４で生成された動作電源をドアホン子器１に適した電圧に調整して伝送ラインＬを経由してドアホン子器１に供給する給電部２５と、応答釦（図示せず）などを備えた操作部２６と、操作部２６の操作などに応じてインターホン親機２全体の制御を行う制御部２７とを備える。なお、電源生成部２４や、給電部２５は、ＡＣ／ＤＣコンバータや、ＤＣ／ＤＣコンバータなど従来周知の回路を利用して構成される。
【００２１】
通話手段２３は、ドアホン子器１の通話手段１２と同様のものであって、上述したような音声入力手段であるマイクロホン２３ａと、上述したような音声出力手段であるスピーカ２３ｂと、音声処理部２３ｃとを有する。音声処理部２３ｃは、マイクロホン２３ａが出力する音声信号を増幅した後に当該音声信号を符号化（情報源符号化）して伝送部２１に出力する符号化回路や、伝送部２１から入力された音声信号を復号化（情報源復号化）した後に増幅してスピーカ２３ｂに出力する復号化回路などを備える。このような通話手段１２は従来周知のものを採用できるから詳細な説明を省略する。
【００２２】
伝送部２１は、伝送ラインＬに送出されたドアホン子器１の映像信号を復調（伝送路復号化）して映像処理部２２に出力する映像信号受信機能を有する。また、伝送部２１は、音声処理部２３ｃが出力する音声信号を変調（伝送路符号化）して伝送ラインＬに送出する音声信号送信機能と、伝送ラインＬに送出されたドアホン子器１の音声信号を復調（伝送路復号化）して音声処理部２３ｃに出力する音声信号受信機能とを有する。なお、伝送部２１における映像信号や音声信号の変調・復調方法としては従来周知の方法を採用できるから詳細な説明は省略する。
【００２３】
制御部２７は、例えばメモリに格納されたプログラムを実行することにより種々の処理を実行するマイクロコンピュータなどであり、伝送部２１で上記呼出信号を受信すると、スピーカ２３ｂおよび音声処理部２３ｃを起動し鳴動させて、ドアホン子器１より呼び出されたとこを居住者に通知する。その後に、制御部２７は、タイマ（図示せず）などにより所定の応答時間を計時する。そして、当該応答時間の経過前に上記応答釦が操作されると、制御部２７は、伝送部２１より前述の応答信号を送信させるとともに、マイクロホン２３ａと映像処理部２２と表示部２０とを起動し、これによって、インターホン親機２とドアホン子器１との間の通話が確立され、またドアホン子器１のカメラ部１０で撮像された映像が表示部２０に表示される。
【００２４】
以上述べた本実施形態のインターホンシステムでは、ドアホン子器１の動作状態が待機状態であるときに、カメラ部１０および映像処理部１１からなる人体検知手段にて人の存在が検知されると、映像処理部１１より制御部１５の検知信号が出力され、検知信号を受け取った制御部１５は、駆動スイッチ１７ｂをオンに切り替えて、発光源１７ａを点灯させる。このとき、制御部１５は、カメラ部１０の映像信号をインターホン親機２に送信しない（つまり、ドアホン子器１の動作状態は、待機状態のままである）。
【００２５】
したがって、本実施形態のインターホンシステムによれば、ドアホン子器１の動作状態がインターホン親機２に映像信号を送信していない待機状態であっても、カメラ部１０および映像処理部１１よりなる人体検知手段で人の存在が検知されると、ドアホン子器１の動作状態を待機状態から通信状態に移行することなく（カメラ部１０の映像信号をインターホン親機２に送信することなく）、発光源１７ａが点灯するので、ドアホン子器１の動作状態が実際は待機状態であるにもかかわらず、インターホン親機２に映像信号を送信している通信状態であるかのように見せることができるから、ドアホン子器１の動作状態が通信状態であっても特に気にしない来訪者に対しては威嚇効果を与えずに、ドアホン子器１の動作状態が待機状態か通信状態かを気にする不審者に対しては威嚇効果を与えることができ、その結果、近所迷惑になったり来訪者に不快感を与えたりすることなく、不審者への威嚇が行える。
【００２６】
また、上述したように、待機状態において人体検知手段で人の存在を検知したときには、待機状態から通信状態に移行することなく（カメラ部１０の映像信号をインターホン親機２に送信することなく）、発光源１７ａのみを点灯させるので、このような不審者への威嚇時にインターホン親機２が動作しないから、居住者に不必要な不安を与えたり、居住者の眠りを妨げたりすることがなく、居住者にとって迷惑になることがない。
【００２７】
さらに、ドアホン子器１の動作状態を表示する発光源１７ａを威嚇用の光源と兼用しているから、別途光源を設ける場合に比べてドアホン子器１のハードウェア構成の大幅な変更が必要なく、インターホンシステム全体として低コスト化が図れる（インターホンシステムを安価に構成できる）。
【００２８】
本実施形態のインターホンシステムはあくまでも本発明の一実施形態に過ぎないものであって、本発明の技術的範囲は本実施形態の構成に限定する趣旨ではないから、本実施形態の構成は、本発明の趣旨を逸脱しない範囲で変更することができる。例えば、上記の例では、カメラ部１０と映像処理部１１とによって、カメラ部１０の撮像範囲内における人の存否を検知する人体検知手段を構成しているが、これに代えて、赤外線を感知する焦電素子や超音波を利用した人感センサを人体検知手段として用いることができる。この種の人感センサを用いれば、カメラ部１０と映像処理部１１とからなる人体検知手段を用いる場合よりも省費電力を低減できる。また、本実施形態では、人体検知手段で人を検知した際に、ドアホン子器１において、発光源１７ａを点灯するか否かを判断しているが、人体検知手段で人を検知した際には、その旨をインターホン親機２に通知し、インターホン親機２で発光源１７ａを点灯するか否かを判断するようにしてもよい。この場合において、発光源１７ａの点灯を許可する場合には、給電部２５からドアホン子器１に給電を開始するようにすることができる。また、本実施形態では、インターホン親機２よりドアホン子器１に給電しているが、ドアホン子器１は必ずしもインターホン親機２より給電される必要はなく、別の系統から給電されるようにしてもよいし、ドアホン子器１に電池などを内蔵するようにしてもよい。
【図面の簡単な説明】
【００２９】
【図１】本発明の一実施形態のインターホンシステムのブロック図である。
【符号の説明】
【００３０】
１    ドアホン子器
２    インターホン親機
１０    カメラ部
１１    映像処理部
１３    伝送部
１５    制御部
１７ａ  発光源
【図１】
2009205287.tif 000003